(57)【特許請求の範囲】
【請求項１】
センタ側の光伝送路に接続されて光電気変換、逆光電気変換を行う電気／光変換手段と、
前記電気／光変換手段の電気信号入出力端に接続される光回線終端装置機能部と、
前記光回線終端装置機能部のパラレル信号端に接続されてシリアル・パラレル変換、逆シリアル・パラレル変換を行うシリアル／パラレル変換手段と、
前記シリアル／パラレル変換手段のシリアル信号端に接続されるマルチソースアグリーメントインタフェースモジュールと、を備え、
前記光回線終端装置機能部は、前記センタ側との間でＰＯＮリンクが確立するかあるいは認証が確立するかのいずれかにより通信条件の確立を判定するまで前記マルチソースアグリーメントインタフェースモジュールから外部ノードへの下り信号の出力を停止させ、前記通信条件の確立を判定した後に前記外部ノードが通信確立を判定できるように前記外部ノードに下り信号を出力させる信号出力制御手段を有している
ことを特徴とする加入者宅側光回線終端装置。
【請求項２】
前記シリアル／パラレル変換手段は、所定の出力停止要求に従って前記マルチソースアグリーメントインタフェースモジュールへの下り信号の出力を停止させる出力停止手段を有し、
前記信号出力制御手段は、前記通信条件の確立を判定するまで前記出力停止手段に前記出力停止要求を出力する
ことを特徴とする請求項１に記載の加入者宅側光回線終端装置。
【請求項３】
前記信号出力制御手段は、前記通信条件の確立を判定するまで前記光回線終端装置機能部における下り信号の処理を停止させる
ことを特徴とする請求項１に記載の加入者宅側光回線終端装置。
【請求項４】
前記マルチソースアグリーメントインタフェースモジュールは、ＧＢＩＣ、ＳＦＰのいずれかのモジュールである
ことを特徴とする請求項１乃至３に記載の加入者宅側光回線終端装置。
【請求項５】
前記光回線終端装置機能部と前記シリアル／パラレル変換手段との間で伝送されるパラレル信号は、入力信号、出力信号ともに１０ビットで構成される
ことを特徴とする請求項１乃至４に記載の加入者宅側光回線終端装置。
【請求項６】
前記出力停止手段は、前記信号出力制御手段から前記出力停止要求を入力すると前記光回線終端装置機能部から入力した信号を前記光回線終端装置機能部に戻すループバック状態に制御し、前記出力停止要求を入力しないときは前記ループバック状態を解除する
ことを特徴とする請求項２に記載の加入者宅側光回線終端装置。
【請求項７】
請求項１乃至６のいずれか１つに記載の加入者宅側光回線終端装置と、
前記加入者宅側光回線終端装置に第１の光伝送路を介して接続される加入者宅側ポートを有する光合分波部と、
前記光合分波部のセンタ側ポートに接続される第２の光伝送路と、
前記第２の光伝送路に接続される前記センタ側の光回線終端装置と
を有することを特徴とする光伝送システム。
【請求項８】
前記加入者宅側光回線終端装置の前記マルチソースアグリーメントインタフェースモジュールは、前記外部ノードのマルチソースアグリーメントインタフェーススロットに直接接続される
ことを特徴とする請求項７に記載の光伝送システム。
【請求項９】
前記外部ノードは、複数のポートを有するスイッチである
ことを特徴とする請求項８に記載の光伝送システム。
【請求項１０】
センタ側の光伝送路に接続されて光電気変換、逆光電気変換を行う電気／光変換手段と、
前記電気／光変換手段の電気信号入出力端に接続される光回線終端装置機能部と、
前記光回線終端装置機能部のパラレル信号端に接続されてシリアル・パラレル変換、逆シリアル・パラレル変換を行うシリアル／パラレル変換手段と、
前記シリアル／パラレル変換手段のシリアル信号端に接続されるインタフェースモジュールと、を備え、
前記光回線終端装置機能部は、前記センタ側との間でＰＯＮリンクが確立するかあるいは認証が確立するかのいずれかにより通信条件の確立を判定するまで前記インタフェースモジュールから外部ノードへの下り信号の出力を停止させ、前記通信条件の確立を判定した後に前記外部ノードが通信確立を判定できるように前記外部ノードに下り信号を出力させる信号出力制御手段を有している
ことを特徴とする加入者宅側光回線終端装置。
【請求項１１】
前記シリアル／パラレル変換手段は、所定の出力停止要求に従って前記インタフェースモジュールへの下り信号の出力を停止させる出力停止手段を有し、
前記信号出力制御手段は、前記通信条件の確立を判定するまで前記出力停止手段に前記出力停止要求を出力する
ことを特徴とする請求項１０に記載の加入者宅側光回線終端装置。
【請求項１２】
前記信号出力制御手段は、前記通信条件の確立を判定するまで前記光回線終端装置機能部における下り信号の処理を停止させる
ことを特徴とする請求項１０に記載の加入者宅側光回線終端装置。
【請求項１３】
前記光回線終端装置機能部と前記シリアル／パラレル変換手段との間で伝送されるパラレル信号は、入力信号、出力信号ともに１０ビットで構成される
ことを特徴とする請求項１０乃至１２に記載の加入者宅側光回線終端装置。
【請求項１４】
前記出力停止手段は、前記信号出力制御手段から前記出力停止要求を入力すると前記光回線終端装置機能部から入力した信号を前記光回線終端装置機能部に戻すループバック状態に制御し、前記出力停止要求を入力しないときは前記ループバック状態を解除する
ことを特徴とする請求項１１に記載の加入者宅側光回線終端装置。
【請求項１５】
請求項１０乃至１４のいずれか１つに記載の加入者宅側光回線終端装置と、
前記加入者宅側光回線終端装置に第１の光伝送路を介して接続される加入者宅側ポートを有する光合分波部と、
前記光合分波部のセンタ側ポートに接続される第２の光伝送路と、
前記第２の光伝送路に接続される前記センタ側の光回線終端装置と
を有することを特徴とする光伝送システム。
【請求項１６】
前記加入者宅側光回線終端装置の前記インタフェースモジュールは、前記外部ノードのインタフェーススロットに直接接続される
ことを特徴とする請求項１５に記載の光伝送システム。
【請求項１７】
前記外部ノードは、複数のポートを有するスイッチである
ことを特徴とする請求項１６に記載の光伝送システム。
【発明の詳細な説明】
【技術分野】
【０００１】
本発明は、加入者宅側光回線終端装置及び光伝送システムに関し、より詳しくは、光伝送路の加入者宅側の終端に取り付けられる光回線終端装置、及びこれを備えた光伝送システムに関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで敷設するＰＯＮ(Passive Optical Network)型の光伝送システムが使用されている。このような光伝送システムは、ＰＤＳ(Passive Double Star)とも呼ばれる。
【０００３】
ＰＯＮ型の光伝送システムでは、図９に示すように、センタの光回線終端装置（ＯＬＴ：Optical Line Termination）９０１からユーザ側に引き出される光ファイバ９０２にスプリッタ９０３が接続され、そのスプリッタ９０３により分岐された複数の光伝送路には光ファイバ９０４−１、…９０４−ｎを介して加入者宅の光回線終端装置（ＯＮＵ：Optical Network Unit）９０５−１、…９０５−ｎが接続される。
【０００４】
ＯＮＵ９０５−１、…９０５−ｎの構成を図１０に示す。同図では、一例としてＯＮＵ９０５−１の構成を示しており、光トランシーバ部９０６、ＯＮＵ機能部９０７、及びイーサネット（登録商標）インタフェース９０８から構成され、各加入者宅の屋内に設置される。光トランシーバ部９０６には、例えば屋外から光成端ユニット９０９を介して屋内に引き込まれた光ファイバ９０４−１が接続される。
【０００５】
イーサネット（登録商標）インタフェース９０８として１０／１００／１０００ＢＡＳＥ−ＴＸ等を用いることができ、これに例えばＬＡＮケーブル９１０が接続される。ＬＡＮケーブル９１０には、コンピュータやプリンタ等の端末機器９１４を直接接続することができ、またルータ９１２やスイッチングハブ９１３等のスイッチを接続し、これに別の端末機器９１４を接続することもできる。
【特許文献１】特開平９−２１４５４１号公報
【発明の開示】
【発明が解決しようとする課題】
【０００６】
ＯＮＵに接続された端末機器やスイッチ等（以下では外部ノードという）が、ＯＮＵを介してセンタ側との通信が可能となるためには、まずセンタ側のＯＬＴと加入者宅側のＯＮＵとの間で通信が可能となり、その後にＯＮＵと外部ノードとの間で通信を開始するための処理が行われる。ＯＮＵと外部ノードとの間で通信を開始するための処理を自動的に行うために、ＯＮＵ内のＭＡＣ（Media Access Control）部及び外部ノードのＭＡＣ部のそれぞれにオートネゴシエーションの機能が設けられている。
【０００７】
しかしながら、センタ側のＯＬＴと加入者宅側のＯＮＵとの間で通信が可能となる前にＯＮＵから外部ノードに何らかの信号（例えばオートネゴシエーションを行うための信号）が出力されてしまうと、外部ノードはＯＮＵからの信号を受けて所定の処理を開始し、例えばオートネゴシエーションに係るデータをＯＮＵに出力する。その結果、ＯＮＵ側でエラー処理が行われて通信を開始できなくなってしまうおそれがある。
【０００８】
また、外部ノードがＯＮＵを介してセンタ側との通信が可能となった後に、何らかの原因でＯＬＴとＯＮＵとの間の通信が許可されなくなった場合には、ＯＮＵと外部ノードとの間の信号伝送を速やかに停止させる必要がある。ＯＬＴとＯＮＵとの間で通信不可となった後もＯＮＵから外部ノードに信号出力が行われると、外部ノードは通信可能と判断してＯＮＵに通常の信号出力を継続する。その結果、ＯＮＵ側でエラー処理が行われて通信を再開できなくなってしまうおそれがある。
【０００９】
そこで、本発明はこれらの問題を解決するためになされたものであり、センタ側光回線終端装置との通信条件の確立を監視してこれが確立していない場合には外部ノードへの信号出力を停止させる加入者宅側光回線終端装置、及びこれを備えた光伝送システムを提供することを目的とする。
【課題を解決するための手段】
【００１０】
本発明の加入者宅側光回線終端装置の第１の態様は、センタ側の光伝送路に接続されて光電気変換、逆光電気変換を行う電気／光変換手段と、前記電気／光変換手段の電気信号入出力端に接続される光回線終端装置機能部と、前記光回線終端装置機能部のパラレル信号端に接続されてシリアル・パラレル変換、逆シリアル・パラレル変換を行うシリアル／パラレル変換手段と、前記シリアル／パラレル変換手段のシリアル信号端に接続されるマルチソースアグリーメントインタフェースモジュールと、を備え、前記光回線終端装置機能部は、前記センタ側との間でＰＯＮリンクが確立するかあるいは認証が確立するかのいずれかにより通信条件の確立を判定するまで前記マルチソースアグリーメントインタフェースモジュールから外部ノードへの下り信号の出力を停止させ、前記通信条件の確立を判定した後に前記外部ノードが通信確立を判定できるように前記外部ノードに下り信号を出力させる信号出力制御手段を有していることを特徴とする。
【００１１】
本発明の加入者宅側光回線終端装置の他の態様は、前記シリアル／パラレル変換手段は、所定の出力停止要求に従って前記マルチソースアグリーメントインタフェースモジュールへの下り信号の出力を停止させる出力停止手段を有し、前記信号出力制御手段は、前記通信条件の確立を判定するまで前記出力停止手段に前記出力停止要求を出力することを特徴とする。
【００１２】
本発明の加入者宅側光回線終端装置の他の態様は、前記信号出力制御手段は、前記通信条件の確立を判定するまで前記光回線終端装置機能部における下り信号の処理を停止させることを特徴とする。
【００１３】
本発明の加入者宅側光回線終端装置の他の態様は、前記マルチソースアグリーメントインタフェースモジュールは、ＧＢＩＣ、ＳＦＰのいずれかのモジュールであることを特徴とする。
【００１４】
本発明の加入者宅側光回線終端装置の他の態様は、前記光回線終端装置機能部と前記シリアル／パラレル変換手段との間で伝送されるパラレル信号は、入力信号、出力信号ともに１０ビットで構成されることを特徴とする。
【００１５】
本発明の加入者宅側光回線終端装置の他の態様は、前記出力停止手段は、前記信号出力制御手段から前記出力停止要求を入力すると前記光回線終端装置機能部から入力した信号を前記光回線終端装置機能部に戻すループバック状態に制御し、前記出力停止要求を入力しないときは前記ループバック状態を解除することを特徴とする。
【００１６】
本発明の光伝送システムの第１の態様は、第１の態様乃至第６の態様のいずれか１つに記載の加入者宅側光回線終端装置と、前記加入者宅側光回線終端装置に第１の光伝送路を介して接続される加入者宅側ポートを有する光合分波部と、前記光合分波部のセンタ側ポートに接続される第２の光伝送路と、前記第２の光伝送路に接続される前記センタ側の光回線終端装置とを有することを特徴とする。
【００１７】
本発明の光伝送システムの他の態様は、前記加入者宅側光回線終端装置の前記マルチソースアグリーメントインタフェースモジュールは、前記外部ノードのマルチソースアグリーメントインタフェーススロットに直接接続されることを特徴とする。
【００１８】
本発明の光伝送システムの他の態様は、前記外部ノードは、複数のポートを有するスイッチであることを特徴とする。
【００１９】
本発明の加入者宅側光回線終端装置の他の態様は、センタ側の光伝送路に接続されて光電気変換、逆光電気変換を行う電気／光変換手段と、前記電気／光変換手段の電気信号入出力端に接続される光回線終端装置機能部と、前記光回線終端装置機能部のパラレル信号端に接続されてシリアル・パラレル変換、逆シリアル・パラレル変換を行うシリアル／パラレル変換手段と、前記シリアル／パラレル変換手段のシリアル信号端に接続されるインタフェースモジュールと、を備え、前記光回線終端装置機能部は、前記センタ側との間でＰＯＮリンクが確立するかあるいは認証が確立するかのいずれかにより通信条件の確立を判定するまで前記インタフェースモジュールから外部ノードへの下り信号の出力を停止させ、前記通信条件の確立を判定した後に前記外部ノードが通信確立を判定できるように前記外部ノードに下り信号を出力させる信号出力制御手段を有していることを特徴とする。
【００２０】
本発明の加入者宅側光回線終端装置の他の態様は、前記シリアル／パラレル変換手段は、所定の出力停止要求に従って前記インタフェースモジュールへの下り信号の出力を停止させる出力停止手段を有し、前記信号出力制御手段は、前記通信条件の確立を判定するまで前記出力停止手段に前記出力停止要求を出力することを特徴とする。
【００２１】
本発明の加入者宅側光回線終端装置の他の態様は、前記信号出力制御手段は、前記通信条件の確立を判定するまで前記光回線終端装置機能部における下り信号の処理を停止させることを特徴とする。
【００２２】
本発明の加入者宅側光回線終端装置の他の態様は、前記光回線終端装置機能部と前記シリアル／パラレル変換手段との間で伝送されるパラレル信号は、入力信号、出力信号ともに１０ビットで構成されることを特徴とする。
【００２３】
本発明の加入者宅側光回線終端装置の他の態様は、前記出力停止手段は、前記信号出力制御手段から前記出力停止要求を入力すると前記光回線終端装置機能部から入力した信号を前記光回線終端装置機能部に戻すループバック状態に制御し、前記出力停止要求を入力しないときは前記ループバック状態を解除することを特徴とする。
【００２４】
本発明の光伝送システムの他の態様は、第１０の態様乃至第１４の態様のいずれか１つに記載の加入者宅側光回線終端装置と、前記加入者宅側光回線終端装置に第１の光伝送路を介して接続される加入者宅側ポートを有する光合分波部と、前記光合分波部のセンタ側ポートに接続される第２の光伝送路と、前記第２の光伝送路に接続される前記センタ側の光回線終端装置とを有することを特徴とする。
【００２５】
本発明の光伝送システムの他の態様は、前記加入者宅側光回線終端装置の前記インタフェースモジュールは、前記外部ノードのインタフェーススロットに直接接続されることを特徴とする。
【００２６】
本発明の光伝送システムの他の態様は、前記外部ノードは、複数のポートを有するスイッチであることを特徴とする。
【発明の効果】
【００２７】
本発明によれば、センタ側光回線終端装置との通信条件の確立を監視してこれが確立していない場合には外部ノードへの信号出力を停止させる加入者宅側光回線終端装置、及びこれを備えた光伝送システムを提供することができる。
【発明を実施するための最良の形態】
【００２８】
図面を参照して本発明の好ましい実施の形態における加入者宅側光回線終端装置（ＯＮＵ）及び光伝送システムの構成について詳細に説明する。本発明の実施の形態に係る加入者宅側光回線終端装置及び光伝送システムの概略の構成を示すブロック図を、それぞれ図１、２に示す。
【００２９】
図２の光伝送システム１において、センタに設けられるＰＯＮインタフェースカード１０は、光回線終端装置（ＯＬＴ）１１と認証機能部１２とを有しており、ＯＬＴ１１の光入出力端に光伝送路である光ファイバ２０の一端が接続されている。また、光ファイバ２０の他端、即ち加入者宅側には光カプラ（光合分波部）３０が接続されている。光カプラ３０において、光ファイバ２０の一つの光伝送路が光ファイバ４０−１、…、４０−ｎ（ｎ：自然数、以下では４０−１〜ｎと記す）の複数の光伝送路に分岐され、光ファイバ４０−１〜ｎのそれぞれにＯＮＵ５０−１〜ｎが接続されている。
【００３０】
ＯＮＵ５０−１〜ｎはそれぞれ加入者宅毎に設置され、これにパーソナルコンピュータやスイッチ等の外部ノードが接続される。図２では、ＯＮＵ５０−１にスイッチ７０が接続され、スイッチ７０に備えられた複数のポート７０ａに複数の端末機器８０が接続されている。スイッチ７０として、Ｌ２スイッチ、Ｌ３スイッチ、ルータ等が用いられる。
【００３１】
ＯＬＴ１１及びＯＮＵ５０−１〜ｎには、ＧＰＯＮ(Gigabit Passive Optical Networkの略称であり、ＩＴＵ規格G.984.xに準拠した方式)、ＧＥＰＯＮ(Gigabit Ethernet（登録商標）ＰＯＮの略称であり、ＩＥＥＥ８０２．３ａｈ規格に準拠した方式)の規定に適合した装置が使用される。
【００３２】
本実施形態のＯＮＵ１００は、図２に示した光伝送システム１に接続されたＯＮＵ５０−１〜ｎに用いられるものである。以下では、一例としてＯＮＵ５０−１に本実施形態のＯＮＵ１００を用いた実施例について説明する。ＯＮＵ１００は、図１に示すように、センタ側のＯＬＴ１１と光ファイバ４０を介して光信号で接続するために、光入出力端を有する電気／光変換部１１０を備えている。また、外部ノード（ここではスイッチ７０）とシリアルな電気信号で接続するために、シリアル／パラレル変換部１３０と外部ノードを接続するためのインタフェースモジュール１４０を備えている。
【００３３】
スイッチ７０は、インタフェースモジュール１４０に接続されるとともに、複数設けられたポート７０ａには端末機器８０が接続されている。このような構成により、複数の端末機器８０がＯＮＵ１００を介してセンタのＯＬＴ１１に接続されている。インタフェースモジュール１４０として、スイッチ７０に設けられたＭＳＡ（Multi-Source Agreement）インタフェーススロットに直接接続可能な規格に対応させたＭＳＡインタフェースモジュールを用いることができる。ＭＳＡインタフェースモジュールとして、ＧＢＩＣ、ＳＦＰ等のモジュールがある。
【００３４】
ＯＮＵ１００は、上記の電気／光変換部１１０、シリアル／パラレル変換部１３０、インタフェースモジュール１４０に加えて、終端処理等を行う光回線終端装置機能部（ＯＮＵ機能部）１２０をさらに備えている。ＯＮＵ機能部１２０は、電気／光変換部１１０との間をシリアルな電気信号を伝送する第１のシリアル伝送路１５０ａ（下り信号線）、１５０ｂ（上り信号線）で接続され、シリアル／パラレル変換部１３０との間をパラレルな電気信号を伝送するパラレル伝送路１６０ａ（下り信号線）、１６０ｂ（上り信号線）で接続されている。シリアル／パラレル変換部１３０とインタフェースモジュール１４０との間は、シリアルな電気信号を伝送する第２のシリアル伝送路１７０ａ（下り信号線）、１７０ｂ（上り信号線）で接続されている。
【００３５】
電気／光変換部１１０は、センタのＯＬＴ１１から送信された光信号を電気信号に変換（光電気変換）し、この電気信号を下り信号線である第１のシリアル伝送路１５０ａを介してＯＮＵ機能部１２０に出力している。また、ＯＮＵ機能部１２０から上り信号線である第１のシリアル伝送路１５０ｂを介して入力した電気信号を光信号に変換（逆光電気変換）し、この光信号をＯＬＴ１１に送信している。
【００３６】
ＯＮＵ機能部１２０は、電気／光変換部１１０から入力したシリアル信号をパラレル信号に変換し、所定の終端処理を行った後これを下り信号線であるパラレル伝送路１６０ａを介してシリアル／パラレル変換部１３０に出力している。また、シリアル／パラレル変換部１３０から上り信号線であるパラレル伝送路１６０ｂを介して入力したパラレル信号を、所定の終端処理を行った後シリアル信号に変換して電気／光変換部１１０に出力している。ＯＮＵ機能部１２０とシリアル／パラレル変換部１３０との間で伝送されるパラレル信号は、例えば１０ビットの信号とすることができる。
【００３７】
シリアル／パラレル変換部１３０は、ＯＮＵ機能部１２０から入力したパラレル信号をシリアル信号に変換し、これを下り信号線である第２のシリアル伝送路１７０ａ及びインタフェースモジュール１４０を介してスイッチ７０に出力している。また、スイッチ７０からインタフェースモジュール１４０及び上り信号線である第２のシリアル伝送路１７０ｂを介して入力したシリアル信号をパラレル信号に変換してＯＮＵ機能部１２０に出力している。
【００３８】
ＯＮＵ機能部１２０は、第１ＭＡＣ部１２１および第２ＭＡＣ部１２２の２つのＭＡＣ部と、管理用インタフェース１２３と、信号出力制御手段１２４とを備えている。第１ＭＡＣ部１２１及び第２ＭＡＣ部１２２は、ＩＥＥＥ８０２．３ａｈ準拠の媒体アクセス制御（ＭＡＣ：Media Access Control）を行っている。ＯＮＵ機能部１２０の詳細な構成の一例を図３に示す。
【００３９】
図３に示すＯＮＵ機能部１２０において、第１ＭＡＣ部１２１は、ギガビット・シリアライザ／デシリアライザ（Gigabit SERDES）１２５を介して電気／光変換部１１０の電気信号端に接続されている。また、第１ＭＡＣ部１２１は、ＥＰＯＮ（Ethernet（登録商標） Passive Optical Network）ルックアップエンジン１２６、スイッチ１２７およびギガビット・イーサネット（登録商標）ルックアップエンジン１２８を介して第２ＭＡＣ１２２に接続されている。
【００４０】
第１ＭＡＣ部１２１に接続された管理用インタフェース１２３は、電気／光変換部１１０、ギガビット・シリアライザ／デシリアライザ１２５、および第１ＭＡＣ部１２１を介してＯＬＴ１１との間で通信確立のための所定の手順を行う。
【００４１】
第２ＭＡＣ部１２２は、例えば１０Ｍｂｐｓ、１００Ｍｂｐｓ及び１Ｇｂｐｓイーサネット（登録商標）のＭＡＣ機能を有し、パラレルインタフェースとして１０ビットインタフェース（ＴＢＩ）部１２２ａを有する構成とすることができる。ＴＢＩ部１２２ａは、１０本の下り信号線１６０ａと１０本の上り信号線１６０ｂを介してシリアル／パラレル変換部１３０に接続される。
【００４２】
第１ＭＡＣ部１２１は、センタのＯＬＴ１１との通信に係るＭＡＣ処理を行っており、第２ＭＡＣ１２２部は、スイッチ７０との通信に係るＭＡＣ処理を行っている。図１では、図３に一例として示したＯＮＵ機能部１２０の詳細な構成を簡略化して、第１ＭＡＣ部１２１、第２ＭＡＣ部１２２、管理用インタフェース１２３、および信号出力制御手段１２４のみを表示している。
【００４３】
シリアル／パラレル変換部１３０の詳細な構成の一例を図４に示す。シリアル／パラレル変換部１３０は、ＯＮＵ機能部１２０から入力したパラレル信号をシリアル信号に変換してインタフェースモジュール１４０に出力する逆シリアル・パラレル変換部１３０ａと、インタフェースモジュール１４０から入力したシリアル信号をパラレル信号に変換してＯＮＵ機能部１２０に出力するシリアル・パラレル変換部１３０ｂとを有している。
【００４４】
逆シリアル・パラレル変換部１３０ａは、ＯＮＵ機能部１２０のＴＢＩ部１２２ａからパラレル信号を入力して一時的に保持する第１のラッチ１３１ａと、第１のラッチ１３１ａに保持されたパラレル信号をクロック発生器１３２ａからの基準クロック信号に同期させてシリアル信号に変換して出力する第１のシリアル／パラレル変換回路１３３ａと、第１のシリアル／パラレル変換回路１３３ａから出力されたシリアル信号を一時的に保持する第２のラッチ１３４ａと、基準クロックに同期させて第２のラッチ１３４ａから出力されたシリアル信号を２つに分けてインタフェースモジュール１４０に出力する分岐部１３５ａとを有している。
【００４５】
また、シリアル・パラレル変換部１３０ｂは、インタフェースモジュール１４０から出力されたシリアル信号を入力する合波部１３５ｂと、合波部１３５ｂの出力信号に基づいてクロックを再生するクロック再生部１３２ｂと、合波部１３５ｂから出力されたシリアル信号を一時的に保持してクロック再生部１３２ｂのクロック信号に同期させてシリアル信号を出力する第３のラッチ１３４ｂと、第３のラッチ１３４ｂから出力されたシリアル信号をクロックに同期させてパラレル信号に変換する第２のシリアル／パラレル変換回路１３３ｂと、第２のシリアル／パラレル変換回路１３３ｂから出力されたパラレル信号を一時的に保持するとともにクロック再生部１３２ｂからのクロック信号に同期させてＯＮＵ機能部１２０のＴＢＩ部１２２ａに出力する第４のラッチ１３１ｂとを有している。
【００４６】
シリアル・パラレル変換部１３０は、さらにループバック設定部１３６ａ、１３６ｂを備えている。逆シリアル・パラレル変換部１３０ａ内に設けられたループバック設定部１３６ａは、第２のラッチ１３４ａから出力されるシリアル信号を、信号線１２４ａから入力される所定の制御信号に基づいて分岐部１３５ａ側またはループバック設定部１３６ｂ側のいずれか一方を選択して出力させることができる。また、シリアル・パラレル変換部１３０ｂ内に設けられたループバック設定部１３６ｂは、合波部１３５ｂから出力される信号またはループバック設定部１３６ａから出力される信号のいずれか一方を選択して第３のラッチ１３４ｂに出力させることができる。
【００４７】
ＯＮＵ１００とスイッチ７０との間で通信可能な場合には、図４に示すように、ループバック設定部１３６ａは、第２のラッチ１３４ａから出力されるシリアル信号を分岐部１３５ａ側に出力させるように制御されており、ＯＮＵ機能部１２０から入力した信号をインタフェースモジュール１４０を介してスイッチ７０に出力させる。またループバック設定部１３６ｂは、合波部１３５ｂから出力される信号を第３のラッチ１３４ｂに出力させるように制御されており、スイッチ７０からの信号をインタフェースモジュール１４０を介してＯＮＵ機能部１２０に出力させる。
【００４８】
これに対し、信号線１２４ａから入力される所定の制御信号に基づいてループバック状態に制御されている場合には、ループバック設定部１３６ａは、第２のラッチ１３４ａから出力されるシリアル信号をループバック設定部１３６ｂ側に出力させるように制御され、ループバック設定部１３６ｂは、ループバック設定部１３６ａから出力される信号を第３のラッチ１３４ｂに出力させるように制御される。これにより、ＯＮＵ機能部１２０から入力した信号をループバック設定部１３６ａ、１３６ｂを経由して再びＯＮＵ機能部１２０にループバックさせている。
【００４９】
図１および図２のように構成された本実施形態のＯＮＵ１００および光伝送システム１では、ＯＮＵ１００に接続されたスイッチ７０がセンタ側と通信可能となるためには、まずＯＬＴ１１とＯＮＵ１００との間で通信可能状態になっている必要がある。この通信可能状態は、第一のＭＡＣ部１２１または管理用インタフェース１２３で所定の通信条件の成立が確認されたときに実現される。
【００５０】
第一のＭＡＣ部１２１または管理用インタフェース１２３は、センタ側との間でＰＯＮリンクが確立するか、あるいは認証が確立するかのいずれかの通信条件が成立すると、ＯＮＵ１００はＯＬＴ１１との間で通信可能状態にあると判定している。ＰＯＮリンクの確立は、まずＯＬＴ１１からの光信号が検出され、その後ＯＬＴ１１と第１ＭＡＣ部１２１との間で所定の信号交換が行われて所定の条件が満たされていることが確認されたときに判定される。ＰＯＮリンクの確立は、ＯＳＩ(Open Systems Interconnection)参照モデルにおける第２層のリンク確立に相当する。
【００５１】
また、認証の確立は、ＯＬＴ１１とＯＮＵ１００との間のＰＯＮリンクが確立された後に、センタ側の認証機能部１２で行われる。認証機能部１２は、ＯＮＵ１００を識別するためにこれにアクセスし、第１ＭＡＣ部１２１が保有する認証モードのデータを取得し、これをもとにＯＮＵ１００の接続相手を識別できたときに認証を行い、第一のＭＡＣ部が認識し、そしてこれを管理用インタフェース１２３に通知する。
【００５２】
ＯＬＴ１１とＯＮＵ１００との間で通信可能状態になると、ＯＮＵ１００からスイッチ７０に所定の信号（例えばアイドル信号またはネゴシエーションのフレーム）を出力してＯＮＵ１００が通信可能状態であることを通知する。スイッチ７０では、ＯＮＵ１００から所定の信号を受信すると、ＯＮＵ１００との間で通信可能とするための処理を開始する。すなわち、ＯＮＵ１００と通信を行うための通信規格や通信モード等の設定を行うために、例えばオートネゴシエーションの機能を起動させる。これにより、ＯＮＵ１００とスイッチ７０との間で通信規格や通信モード等の設定が完了すると、スイッチ７０はＯＮＵ１００を介してセンタ側と通信が可能となる。
【００５３】
上記の通信開始のための処理において、ＯＬＴ１１とＯＮＵ１００との間で通信可能状態になる前にＯＮＵ１００から信号（例えば、センタ側からのデータやアイドル信号あるいはネゴシエーションのフレーム等）が出力されてしまうと、スイッチ７０はＯＮＵ１００が通信可能状態であると判断してＯＮＵ１００に信号を出力してしまう。その結果、ＯＮＵ１００でエラー処理が行われて通信を開始できなくなってしまうおそれがある。
【００５４】
また、スイッチ７０がＯＮＵ１００を介してセンタ側のＯＬＴ１１と通信可能となった後に、何らかの原因でＯＬＴ１１とＯＮＵ１００との間の通信条件が確立されなくなった場合には、ＯＮＵ１００とスイッチ７０との間の信号伝送も速やかに停止させる必要がある。ＯＮＵ１００が通信可能状態でなくなった後もＯＮＵ１００からスイッチ７０に信号出力（センタ側からのデータ等の出力）が行われると、スイッチ７０はＯＮＵ１００が通信可能状態であると判断してＯＮＵ１００への通常の信号出力を継続する。その結果、ＯＮＵ１００でエラー処理が行われて通信を再開できなくなってしまうおそれがある。
【００５５】
そこで本実施形態のＯＮＵ１００では、ＯＮＵ機能部１２０に信号出力制御手段１２４を設け、ここでＯＬＴ１１とＯＮＵ１００との間の通信条件を監視させるようにしている。
【００５６】
すなわち、第一のＭＡＣ部１２１または管理用インタフェース１２３からＰＯＮリンクの確立および認証の確立の情報を入力し、いずれも確立していないと判定すると、信号出力制御手段１２４が信号線１２４ａを経由してシリアル・パラレル変換部１３０に設けられたループバック設定部１３６ａ、１３６ｂに出力停止要求を出力するように構成している。
【００５７】
ループバック設定部１３６ａ、１３６ｂは、信号出力制御手段１２４から出力停止要求を入力するとループバック状態に制御される。その結果、ループバック設定部１３６ａの作動によりインタフェースモジュール１４０側への信号線が開状態となる。これにより、インタフェースモジュール１４０側へはいかなる信号も出力されず、スイッチ７０にいかなる信号も出力されることはない。スイッチ７０は、ＯＮＵ１００からいかなる信号も入力されないため、通信不可と判断してＯＮＵ１００への信号出力を停止する。
【００５８】
本実施形態のＯＮＵ１００によれば、第一のＭＡＣ部１２１または管理用インタフェース１２３においてＯＬＴ１１との通信条件の確立を監視し、これが確立されていないと判定した場合には信号出力制御手段１２４からループバック設定部１３６ａ、１３６ｂに出力停止要求を出力してループバック状態に制御することで、外部ノードのスイッチ７０への信号出力を停止させることが可能となる。
【００５９】
本発明の別の実施の形態に係る加入者宅側光回線終端装置の構成を示すブロック図を、図５に示す。本実施形態のＯＮＵ２００では、信号出力制御手段２２４が出力停止要求を第２ＭＡＣ部２２２に出力するように構成している。第２ＭＡＣ部２２２は、信号出力制御手段２２４から出力停止要求が入力されると下り信号をシリアル／パラレル変換部１３０に出力するのを停止し、出力停止要求が入力されないときは通常の信号出力を行うように構成されている。
【００６０】
本実施形態のＯＮＵ２００でも、第一のＭＡＣ部１２１または管理用インタフェース１２３においてＯＬＴ１１との通信条件の確立を監視し、これが確立されていないと判定した場合には信号出力制御手段２２４から出力停止要求を出力して第２ＭＡＣ部２２２からの下り信号の出力を停止させることにより、シリアル／パラレル変換部１３０およびインタフェースモジュール１４０を介してスイッチ７０への信号出力を停止させることが可能となる。
【００６１】
本発明のさらに別の実施の形態に係る加入者宅側光回線終端装置の構成を示すブロック図を、図６に示す。本実施形態のＯＮＵ３００は、ＯＮＵ機能部１２０とシリアル／パラレル変換部１３０との間のパラレル伝送路１６０ａの途中に開閉器３８１を備えており、信号出力制御手段１２４から出力停止要求を入力するように構成されている。開閉器３８１は、信号出力制御手段１２４から出力停止要求を入力すると開状態に制御され、出力停止要求を入力しないときは閉状態に制御される。
【００６２】
上記のように構成された本実施形態のＯＮＵ３００でも、第一のＭＡＣ部１２１または管理用インタフェース１２３においてＯＬＴ１１との通信条件の確立を監視し、これが確立されていないと判定した場合には信号出力制御手段１２４から開閉器３８１に出力停止要求を出力して開状態に制御する。これにより、ＯＮＵ機能部１２０からシリアル／パラレル変換部１３０への下り信号の伝送が停止され、インタフェースモジュール１４０からスイッチ７０への信号出力が停止される。
【００６３】
本発明のさらに別の実施の形態に係る加入者宅側光回線終端装置の構成を示すブロック図を、図７に示す。本実施形態のＯＮＵ４００は、シリアル／パラレル変換部１３０とインタフェースモジュール１４０との間の第２のシリアル伝送路１７０ａの途中に開閉器４８１を備えており、信号出力制御手段１２４から出力停止要求を入力するように構成されている。開閉器４８１は、信号出力制御手段１２４から出力停止要求を入力すると開状態に制御され、出力停止要求を入力しないときは閉状態に制御される。
【００６４】
上記のように構成された本実施形態のＯＮＵ４００でも、第一のＭＡＣ部１２１または管理用インタフェース１２３においてＯＬＴ１１との通信条件の確立を監視し、これが確立されていないと判定した場合には信号出力制御手段１２４から開閉器４８１に出力停止要求を出力して開状態に制御する。これにより、シリアル／パラレル変換部１３０からインタフェースモジュール１４０への下り信号の伝送が停止され、スイッチ７０への信号出力が停止される。
【００６５】
本発明のさらに別の実施の形態に係る加入者宅側光回線終端装置の構成を示すブロック図を、図８に示す。本実施形態のＯＮＵ５００では、信号出力制御手段５２４が出力停止要求を第１ＭＡＣ部５２１に出力するように構成している。第１ＭＡＣ部５２１は、信号出力制御手段５２４から出力停止要求が入力されると下り信号を第２ＭＡＣ部１２２に出力するのを停止し、出力停止要求が入力されないときは通常の信号出力を行うように構成されている。
【００６６】
本実施形態のＯＮＵ５００でも、第一のＭＡＣ部５２１または管理用インタフェース１２３においてＯＬＴ１１との通信条件の確立を監視し、これが確立されていないと判定した場合には信号出力制御手段５２４から出力停止要求を出力して第１ＭＡＣ部５２１からの下り信号の出力を停止させることにより、第２ＭＡＣ部１２２、シリアル／パラレル変換部１３０およびインタフェースモジュール１４０を介してスイッチ７０への信号出力を停止させることが可能となる。
【００６７】
なお上記では、ＯＮＵ１００を外部ノードに接続するためのインタフェース或いはインタフェースモジュールとして、いずれもＧＢＩＣやＳＦＰといったマルチソースアグリーメントインタフェースを用いた実施形態を説明したが、これに限らず、形状やインタフェース信号が独自のインタフェース或いはインタフェースモジュールを用いてもよい。一例として、図１に示す外部ノード７０を、独自のインタフェースを有する基地局などとし、これに接続されるＯＮＵ１００が、外部ノード７０のインタフェースと接続可能な独自のインタフェースを有している場合が考えられる。
【００６８】
上記のように、マルチソースアグリーメントインタフェース以外の独自のインタフェース或いはインタフェースモジュールを用いた場合であっても、上記実施形態で説明した本発明の効果を得ることができる。
【００６９】
なお、本実施の形態における記述は、本発明に係る加入者宅側光回線終端装置および光伝送システムの一例を示すものであり、これに限定されるものではない。本実施の形態における加入者宅側光回線終端装置および光伝送システムの細部構成及び詳細な動作等に関しては、本発明の趣旨を逸脱しない範囲で適宜変更可能である。
【図面の簡単な説明】
【００７０】
【図１】本発明の実施形態に係る加入者宅側光回線終端装置の概略構成を示すブロック図である。
【図２】本発明の実施形態に係る光伝送システムの概略構成を示すブロック図である。
【図３】本発明の実施形態に係る光回線終端装置機能部の構成を示すブロック図である。
【図４】本発明の実施形態に係るシリアル／パラレル変換部の構成を示すブロック図である。
【図５】本発明の別の実施形態に係る加入者宅側光回線終端装置の概略構成を示すブロック図である。
【図６】本発明のさらに別の実施形態に係る加入者宅側光回線終端装置の概略構成を示すブロック図である。
【図７】本発明のさらに別の実施形態に係る加入者宅側光回線終端装置の概略構成を示すブロック図である。
【図８】本発明のさらに別の実施形態に係る加入者宅側光回線終端装置の概略構成を示すブロック図である。
【図９】従来の光伝送システムを示す構成図である。
【図１０】従来の光伝送システムの加入者宅側光回線終端装置の概略構成を示すブロック図である。
【符号の説明】
【００７１】
１      光伝送システム
１０    ＰＯＮインタフェースカード
１１、９０１    ＯＬＴ
１２    認証機能部２０、４０、９０２、９０４    光ファイバ
３０、９０３    光カプラ
７０    スイッチ
８０、９１４    端末機器
５０、１００、２００、３００、４００、５００、９０５    加入者宅側光回線終端装置
１１０    電気／光変換部
１２０、２２０、９０７    ＯＮＵ機能部
１２１、５２１    第１ＭＡＣ部
１２２、２２２    第２ＭＡＣ部
１２３    管理用インタフェース
１２４、２２４、５２４    信号出力制御手段
１３０    シリアル／パラレル変換部
１４０    インタフェースモジュール
１５０ａ、１５０ｂ    第１のシリアル伝送路
１６０ａ、１６０ｂ    パラレル伝送路
１７０ａ、１７０ｂ    第２のシリアル伝送路
３８１、４８１    開閉器
【図１】
0004399001.tif 000002
【図２】
0004399001.tif 000003
【図３】
0004399001.tif 000004
【図４】
0004399001.tif 000005
【図５】
0004399001.tif 000006
【図６】
0004399001.tif 000007
【図７】
0004399001.tif 000008
【図８】
0004399001.tif 000009
【図９】
0004399001.tif 000010
【図１０】
0004399001.tif 000011